(57)【特許請求の範囲】
【請求項１】
放送される番組を受信すると共に、当該番組の受信を確認するための複数の受信確認キーを、順次、受信する放送受信装置であって、
上記番組を表す番組データに多重化された上記受信確認キーを、上記番組の受信と共に、順次、受信する受信手段と、
上記受信手段によって受信された上記受信確認キーの数が、あらかじめ定められた基準値を超えるとき、視聴者が上記番組を視聴したと判定する視聴判定手段とを備えていることを特徴とする放送受信装置。
【請求項２】
放送される番組を受信すると共に、当該番組の受信を確認するための複数の受信確認キーを、順次、受信する放送受信装置であって、
上記番組を表す番組データに多重化された上記受信確認キーを、上記番組の受信と共に、順次、受信する受信手段と、
上記受信手段によって、あらかじめ定められた少なくとも１つの特定の上記受信確認キーが受信され、かつ、上記受信手段によって受信された上記受信確認キーの数が、あらかじめ定められた基準値を超えるとき、視聴者が上記番組を視聴したと判定する視聴判定手段とを備えていることを特徴とする放送受信装置。
【請求項３】
放送される番組を受信すると共に、当該番組の受信を確認するための複数の受信確認キーを、順次、受信する放送受信装置であって、
上記番組を表す番組データに多重化された上記受信確認キーを、上記番組の受信と共に、順次、受信する受信手段と、
上記受信確認キーごとにあらかじめ設定されている個別点数を、上記受信された受信確認キーごとに加算することによって、受信点数を算出する受信点数算出手段と、
上記算出された受信点数が、あらかじめ定められた基準値を超えるとき、視聴者が上記番組を視聴したと判定する視聴判定手段とを備えていることを特徴とする放送受信装置。
【請求項４】
放送される番組を受信すると共に、当該番組の受信を確認するための複数の受信確認キーを、順次、受信する放送受信装置であって、
上記番組を表す番組データに多重化された上記受信確認キーを、上記番組の受信と共に、順次、受信する受信手段と、
上記受信確認キーごとにあらかじめ設定されている個別点数を、上記受信された受信確認キーごとに加算することによって、受信点数を算出する受信点数算出手段と、
上記受信手段によって、あらかじめ定められた少なくとも１つの特定の上記受信確認キーが受信され、かつ、上記算出された受信点数が、あらかじめ定められた基準値を超えるとき、視聴者が上記番組を視聴したと判定する視聴判定手段とを備えていることを特徴とする放送受信装置。
【請求項５】
放送される番組を受信する放送受信装置であって、
上記番組を表す番組データに多重化された質問データを、上記番組の受信と共に、順次、受信する受信手段と、
上記受信手段によって上記番組が受信されているとき、上記番組に関する質問を、上記質問データに基いて上記番組の視聴者に提示する質問提示手段と、
質問ＩＤと質問データと正答データとを互いに関連付けた質問管理テーブルに基づいて、上記提示された質問に対する視聴者の回答の正誤を判定し、上記回答が正しいとき、上記視聴者が上記番組を視聴したと判定する視聴判定手段とを備えていることを特徴とする放送受信装置。
【請求項６】
放送される番組を受信すると共に、当該番組の受信を確認するための少なくとも１つの受信確認キーを受信する放送受信装置であって、
上記番組を表す番組データに多重化された上記受信確認キーを、上記番組の受信と共に、順次、受信する受信手段と、
上記受信手段によって上記受信確認キーが受信されたあとに、上記番組に関する質問を、上記番組の視聴者に提示する質問提示手段と、
上記提示された質問に対する視聴者の回答が正しいとき、上記視聴者が上記番組を視聴したと判定する視聴判定手段とを備えていることを特徴とする放送受信装置。
【請求項７】
上記受信手段は、上記番組を受信すると共に、上記質問の提示を指示する質問提示指示キーを受信し、
上記質問提示手段は、上記受信手段によって上記質問提示指示キーが受信されたあとに、上記番組に関する質問を、上記番組の視聴者に提示することを特徴とする請求項５または６に記載の放送受信装置。
【請求項８】
上記受信確認キーは、上記番組を識別するための番組識別子を含んでおり、
上記視聴判定手段は、上記番組識別子に基づき、上記番組の基準値を特定することを特徴とする請求項１から６のいずれか１項に記載の放送受信装置。
【請求項９】
上記受信確認キーは、上記番組内の場面を表す箇所に多重化された場面識別子を含んでおり、
上記視聴判定手段は、上記場面識別子に基づき、上記番組内の上記場面を、上記視聴者が視聴したと判定することを特徴とする請求項１から６のいずれか１項に記載の放送受信装置。
【請求項１０】
上記視聴判定手段は、上記番組についての番組情報に基づき、上記番組を特定することを特徴とする請求項１から６のいずれか１項に記載の放送受信装置。
【請求項１１】
上記受信確認キーは、番組ＩＤと関連付けられた受信確認キーＩＤを有しており、
上記視聴判定手段は、上記受信手段が受信した受信確認キーと、上記受信確認キーＩＤと上記番組ＩＤとが関連付けられて格納された番組管理テーブルとに基づき、上記番組を特定することを特徴とする請求項１から６のいずれか１項に記載の放送受信装置。
【請求項１２】
上記視聴判定手段によって、上記視聴者が上記番組を視聴したと判定されたとき、上記視聴者に対してインセンティブを提供するインセンティブ提供手段をさらに備えていることを特徴とする請求項１から６のいずれか１項に記載の放送受信装置。
【請求項１３】
上記視聴判定手段によって、上記視聴者が上記番組を視聴したと判定されたとき、上記視聴者に対してインセンティブを提供するインセンティブ提供手段と、
上記受信手段によって上記受信確認キーが未だ受信されていないとき、上記インセンティブについての情報を視聴者に告知する告知手段をさらに備えていることを特徴とする請求項５または６に記載の放送受信装置。
【請求項１４】
上記視聴判定手段によって、上記視聴者が上記番組を視聴したと判定されたとき、上記番組に関する質問を、上記番組の視聴者に提示する質問提示手段と、
上記提示された質問に対する視聴者の回答が正しいとき、上記視聴者に対してインセンティブを提供するインセンティブ提供手段とをさらに備えていることを特徴とする請求項１から４のいずれか１項に記載の放送受信装置。
【請求項１５】
上記視聴判定手段によって、上記視聴者が上記番組を未だ視聴していないと判定されたとき、上記インセンティブについての情報を視聴者に告知する告知手段をさらに備えていることを特徴とする請求項１４に記載の放送受信装置。
【請求項１６】
放送される番組を受信すると共に、当該番組の受信を確認するために上記番組を表す番組データに多重化された複数の受信確認キーを、上記番組の受信と共に、順次、受信する受信ステップと、
上記受信ステップにおいて受信された上記受信確認キーの数が、あらかじめ定められた基準値を超えるとき、視聴者が上記番組を視聴したと判定する視聴判定ステップとを含んでいることを特徴とする視聴判定方法。
【請求項１７】
放送される番組を受信すると共に、当該番組の受信を確認するために上記番組を表す番組データに多重化された複数の受信確認キーを、上記番組の受信と共に、順次、受信する受信ステップと、
上記受信ステップにおいて、あらかじめ定められた少なくとも１つの特定の上記受信確認キーが受信され、かつ、上記受信ステップにおいて受信された上記受信確認キーの数が、あらかじめ定められた基準値を超えるとき、視聴者が上記番組を視聴したと判定する視聴判定ステップとを含んでいることを特徴とする視聴判定方法。
【請求項１８】
放送される番組を受信すると共に、当該番組の受信を確認するために上記番組を表す番組データに多重化された複数の受信確認キーを、上記番組の受信と共に、順次、受信する受信ステップと、
上記受信確認キーごとにあらかじめ設定されている個別点数を、上記受信された受信確認キーごとに加算することによって、受信点数を算出する受信点数算出ステップと、
上記算出された受信点数が、あらかじめ定められた基準値を超えるとき、視聴者が上記番組を視聴したと判定する視聴判定ステップとを含んでいることを特徴とする視聴判定方法。
【請求項１９】
放送される番組を受信すると共に、当該番組の受信を確認するために上記番組を表す番組データに多重化された複数の受信確認キーを、上記番組の受信と共に、順次、受信する受信ステップと、
上記受信確認キーごとにあらかじめ設定されている個別点数を、上記受信された受信確認キーごとに加算することによって、受信点数を算出する受信点数算出ステップと、
上記受信ステップにおいて、あらかじめ定められた少なくとも１つの特定の上記受信確認キーが受信され、かつ、上記算出された受信点数が、あらかじめ定められた基準値を超えるとき、視聴者が上記番組を視聴したと判定する視聴判定ステップとを含んでいることを特徴とする視聴判定方法。
【請求項２０】
放送される番組を表す番組データに多重化された質問データを、上記番組の受信と共に、順次、受信する受信ステップと、
上記受信ステップにおいて上記番組が受信されているときに、上記番組に関する質問を、上記質問データに基いて上記番組の視聴者に提示する質問提示ステップと、
質問ＩＤと質問データと正答データとを互いに関連付けた質問管理テーブルに基づいて、上記提示された質問に対する視聴者の回答の正誤を判定し、上記回答が正しいとき、上記視聴者が上記番組を視聴したと判定する視聴判定ステップとを含んでいることを特徴とする視聴判定方法。
【請求項２１】
放送される番組を受信すると共に、当該番組の受信を確認するために上記番組を表す番組データに多重化された少なくとも１つの受信確認キーと、上記番組データに多重化された質問データとを、上記番組の受信と共に、順次、受信する受信ステップと、
上記受信ステップにおいて上記受信確認キーが受信されたあとに、上記番組に関する質問を、上記質問データに基いて上記番組の視聴者に提示する質問提示ステップと、
質問ＩＤと質問データと正答データとを互いに関連付けた質問管理テーブルに基づいて、上記提示された質問に対する視聴者の回答の正誤を判定し、上記回答が正しいとき、上記視聴者が上記番組を視聴したと判定する視聴判定ステップとを含んでいることを特徴とする視聴判定方法。
【請求項２２】
放送される番組を受信すると共に、当該番組の受信を確認するために上記番組を表す番組データに多重化された複数の受信確認キーを、上記番組の受信と共に、順次、受信する放送受信装置から送信された、当該放送受信装置が受信した上記受信確認キーについての情報を受信する受信手段と、
上記受信手段によって受信された情報に基づき、上記放送受信装置が受信した上記受信確認キーの数を算出する受信確認キー数算出手段と、
上記算出された受信確認キーの数が、あらかじめ定められた基準値を超えるとき、視聴者が上記番組を視聴したと判定する視聴判定手段とを備えていることを特徴とする視聴管理サーバ。
【請求項２３】
放送される番組を受信すると共に、当該番組の受信を確認するために上記番組を表す番組データに多重化された複数の受信確認キーを、上記番組の受信と共に、順次、受信する放送受信装置から送信された、当該放送受信装置が受信した上記受信確認キーについての情報を受信する受信手段と、
上記受信手段によって受信された情報に基づき、上記放送受信装置が受信した上記受信確認キーの数を算出する受信確認キー数算出手段と、
上記受信手段によって受信された情報に基づき、上記放送受信装置が、あらかじめ定められた少なくとも１つの特定の上記受信確認キーが受信されたか否かを判定する特定キー受信判定手段と、
上記特定キー受信判定手段によって、上記放送受信装置が、あらかじめ定められた少なくとも１つの特定の上記受信確認キーを受信したと判定され、かつ、上記受信確認キー数算出手段によって算出された上記受信確認キーの数が、あらかじめ定められた基準値を超えるとき、視聴者が上記番組を視聴したと判定する視聴判定手段とを備えていることを特徴とする視聴管理サーバ。
【請求項２４】
放送される番組を受信すると共に、当該番組の受信を確認するために上記番組を表す番組データに多重化された複数の受信確認キーを、上記番組の受信と共に、順次、受信する放送受信装置が送信した、当該放送受信装置が受信した上記受信確認キーについての情報を受信する受信手段と、
上記受信手段によって受信された情報に基づき、上記受信確認キーごとにあらかじめ設定されている個別点数を、上記放送受信装置によって受信された上記受信確認キーごとに加算することによって、受信点数を算出する受信点数算出手段と、
上記算出された受信点数が、あらかじめ定められた基準値を超えるとき、視聴者が上記番組を視聴したと判定する視聴判定手段とを備えていることを特徴とする視聴管理サーバ。
【請求項２５】
放送される番組を受信すると共に、当該番組の受信を確認するために上記番組を表す番組データに多重化された複数の受信確認キーを、上記番組の受信と共に、順次、受信する放送受信装置が送信した、当該放送受信装置が受信した上記受信確認キーについての情報を受信する受信手段と、
上記受信手段によって受信された情報に基づき、上記受信確認キーごとにあらかじめ設定されている個別点数を、上記放送受信装置によって受信された上記受信確認キーごとに加算することによって、受信点数を算出する受信点数算出手段と、
上記受信手段によって受信された情報に基づき、上記放送受信装置が、あらかじめ定められた少なくとも１つの特定の上記受信確認キーが受信されたか否かを判定する特定キー受信判定手段と、
上記特定キー受信判定手段によって、上記放送受信装置が、あらかじめ定められた少なくとも１つの特定の上記受信確認キーを受信したと判定され、かつ、上記受信確認キー数算出手段によって算出された受信点数が、あらかじめ定められた基準値を超えるとき、視聴者が上記番組を視聴したと判定する視聴判定手段とを備えていることを特徴とする視聴管理サーバ。
【請求項２６】
放送される番組と上記番組を表す番組データに多重化された質問データとを、上記番組の受信と共に、順次、受信する放送受信装置に対し、上記番組が当該放送受信装置によって受信されていることを、上記放送受信装置から送信された情報に基づき確認したあとに、上記質問データに基づく上記番組に関する質問の、上記番組の視聴者に対する提示を、当該放送受信装置に実行させる質問提示手段と、
質問ＩＤと質問データと正答データとを互いに関連付けた質問管理テーブルに基づいて、上記提示された質問に対する視聴者の回答の正誤を判定し、上記回答が正しいとき、上記視聴者が上記番組を視聴したと判定する視聴判定手段とを備えていることを特徴とする視聴管理サーバ。
【請求項２７】
放送される番組を受信すると共に、当該番組の受信を確認するために上記番組を表す番組データに多重化された少なくとも１つの受信確認キーと、上記番組を表す番組データに多重化された質問データとを、上記番組の受信と共に、順次、受信する放送受信装置に対し、上記受信確認キーが当該放送受信装置によって受信されたことを、上記放送受信装置から送信された情報に基づき確認したあとに、上記質問データに基づく上記番組に関する質問の、上記番組の視聴者に対する提示を、当該放送受信装置に実行させる質問提示手段と、
質問ＩＤと質問データと正答データとを互いに関連付けた質問管理テーブルに基づいて、上記提示された質問に対する視聴者の回答の正誤を判定し、上記回答が正しいとき、上記視聴者が上記番組を視聴したと判定する視聴判定手段とを備えていることを特徴とする視聴管理サーバ。
【請求項２８】
請求項１から１５のいずれか１項に放送受信装置と、上記放送受信装置に、上記番組および上記受信確認キーを送信する放送送信装置とを含んでいることを特徴とする放送システム。
【請求項２９】
請求項２２から２７のいずれか１項に記載の視聴管理サーバと、上記放送受信装置とを含んでいることを特徴とする放送システム。
【請求項３０】
請求項１から１５のいずれか１項に記載の放送受信装置を動作させるプログラムであって、コンピュータを上記の各手段として機能させるためのプログラム。
【請求項３１】
請求項３０に記載のプログラムを記録しているコンピュータ読み取り可能な記録媒体。
【請求項３２】
請求項２２から２７のいずれか１項に記載の視聴管理サーバを動作させるプログラムであって、コンピュータを上記の各手段として機能させるためのプログラム。
【請求項３３】
請求項３２に記載のプログラムを記録しているコンピュータ読み取り可能な記録媒体。
【発明の詳細な説明】
【技術分野】
【０００１】
本発明は、放送される番組を受信する放送受信装置、視聴管理サーバ、視聴判定方法、放送システム、視聴判定プログラム、および記録媒体に関する。
【背景技術】
【０００２】
放送番組の視聴率測定は、従来、各家庭に設置された、専用の調査機器を用いて行われてきた。この手法によって、アナログ放送の視聴率は、確かに有効に測定されてきた。しかし、近年、携帯電話機のような移動体通信端末においても、放送番組を受信できるようになっている。この場合、これまで利用されてきた、家庭内の専用装置では、視聴率を正しく測定できない。
【０００３】
そこで、従来、番組の視聴率をより正確に測定するための技術が、いくつか提案されている。
【０００４】
特許文献１には、番組情報をデジタル形態で放送するデジタル放送システムにおいて、視聴時間測定用のコンテンツを放送し、当該コンテンツを用いて視聴者による番組の視聴時間を測定し、前記測定時間に応じたサービスを当該視聴者に提供することを特徴とするデジタル放送システムが開示されている。
【０００５】
特許文献２には、一定時間間隔で視聴放送局または視聴番組の識別情報をその時の時刻とともに不揮発性記憶部に記録させ、さらにより大きな一定時間間隔で不揮発性記憶部に記録させたデータを通信回線インターフェースを通じてセンターサーバーに転送させる視聴調査実行手段を備えることにより、視聴調査データを収集できるようにしたデータ放送を利用したデジタル放送の視聴データ収集システムが開示されている。
【０００６】
特許文献３には、受信中の番組に固有の番組情報を伝送信号から取得する番組情報取得手段と、この番組情報取得手段により取得された最新の番組情報を所定のタイミング毎に確認し、各タイミングでの最新の番組情報を記述した視聴履歴情報を作成する履歴作成手段と、この履歴作成手段により作成された視聴履歴情報と所定のユーザ識別情報とを少なくとも含む通知情報を、所定の集計センタに向けて、データ送信手段により送信させる履歴送信手段とを具備したことを特徴とする放送受信機が開示されている。
【０００７】
特許文献４には、応募情報に含まれている、視聴者が選択したポイント種類を示すデータに基づいて、前記選択したポイント種類のポイントを発行する特定のポイント企業のポイントシステムに対して、キャンペーン応募に対するインセンティブとしての所定ポイント数を前記視聴者のポイントアカウントに加算するリクエストを送信するステップを有した、放送キャンペーンの応募者にインセンティブを提供するための方法が開示されている。
【０００８】
特許文献５には、放送視聴契約者毎に個別に設定された個別情報を生成し、視聴率調査対象に選定した上記放送視聴契約者に対する上記個別情報に、視聴率調査対象であることを示す視聴率調査対象情報を付加し、上記個別情報を放送に多重して送信する放送送信装置と、上記放送を受信し、上記個別情報に上記視聴率調査対象情報が付加されている場合、視聴率調査処理を実行する複数の放送受信装置とを具えることを特徴とする放送システムが開示されている。
【０００９】
特許文献６には、受信装置により複数チャンネルの番組の中から選択された番組の選択履歴情報を取得する番組選択履歴情報取得方法であって、所定の取得タイミング毎に前記番組の選択情報を記憶する手順と、所定の表示タイミング毎に所定のアイコンを表示する手順と、前記所定のアイコンが表示されてから一定時間内に前記アイコンが選択されたか否かを判定し、該判定結果を記憶する手順と、前記記憶した選択情報および前記判定結果を所定の送信タイミング毎に送信する手順と、を備えることを特徴とする番組選択履歴情報取得方法が開示されている。
【００１０】
特許文献７には、現在時刻および視聴チャンネルを記憶する視聴単位時間をホームターミナルに通知すると、ホームターミナルは、現在時刻に時間を合わせて、視聴単位時間ごとに視聴チャンネルデータを記憶し、センタが記憶された視聴チャンネルデータをホームターミナルから任意に収集することを特徴とするＣＡＴＶ視聴率調査方法が開示されている。
【００１１】
特許文献８には、
放送電波でマーカ信号を伝送し、各家庭においてこのマーカ信号を受信できるようにし、マーカ信号を受信した時各家庭において使用してい装置に関するデータを一旦記憶させ、マーカ信号受信後所定時間経過した時自動的に所定の電話番号に発呼動作をさせ、記憶したデータを一般の電話回線を通じて収集することを特徴とするデータ収集方式が開示されている。
【００１２】
特許文献９には、放送局サーバから送信されてきた視聴情報からその映像番組の視聴時間が一定時間以上であるユーザＩＤを選択する判定部と、前記判定部により選択されたユーザＩＤに対応するメールアドレスをメールアドレスデータベースから読み出すとともに、当該映像番組に対応した広告情報を広告情報データベースから読み出し、前記広告情報データベースから読み出した前記広告情報が添付された広告メールを、前記メールアドレスデータベースから読み出したメールアドレス宛に配信する広告メール配信部とを備えたデータセンタを有する映像配信システムが開示されている。
【特許文献１】特開２００１−３２０３４１号公報（２００１年１１月１６日公開）
【特許文献２】特開２００２−２７１２８６号公報（２００２年９月２０日公開）
【特許文献３】特開２００１−３４６２３１号公報（２００１年１２月１４日公開）
【特許文献４】特開２００１−３１３９２０号公報（２００１年１１月９日公開）
【特許文献５】特開２００１−６０９２８号公報（２００１年３月６日公開）
【特許文献６】特開２０００−３２５００号公報（２０００年１月２８日公開）
【特許文献７】特開平４−５７５８８号公報（１９９２年２月２５日公開）
【特許文献８】特開昭和５９−８６３４１号公報（１９８４年５月１８日公開）
【特許文献９】特開２００５−１２３６９４号公報（２００５年５月１２日公開）
【発明の開示】
【発明が解決しようとする課題】
【００１３】
しかし、上述した各文献の技術では、視聴者が番組を視聴したか否かを、正確に判定できない。たとえば、従来の技術では、視聴者が第１の番組を一瞬だけ選択し、すぐに他の第２の番組に切り替えたとしても、第１の番組を視聴者が視聴していたとみなしてしまう。すなわち、このようなやり方は信頼性に欠ける。
【００１４】
本発明は上記の課題を解決するためになされたものであり、その目的は、視聴者が番組を視聴したか否かをより正確に判定する放送システムを提供することにある。
【課題を解決するための手段】
【００１５】
本発明に係る放送受信装置は、上記の課題を解決するために、
放送される番組を受信すると共に、当該番組の受信を確認するための複数の受信確認キーを、順次、受信する放送受信装置であって、
上記受信確認キーを受信する受信手段と、
上記受信手段によって受信された上記受信確認キーの数が、あらかじめ定められた基準値を超えるとき、視聴者が上記番組を視聴したと判定する視聴判定手段とを備えていることを特徴としている。
【００１６】
上記の構成によれば、放送受信装置は、放送される番組を受信する。さらに、当該番組の受信を確認するための複数の受信確認キーを、番組の受信と共に、順次、受信する。各受信確認キーは、たとえば、番組のデータにあらかじめ多重化されている。
【００１７】
放送受信装置において、受信手段が、受信確認キーを受信する。このとき受信手段は、受信した受信確認キーの数をカウントする。これにより、視聴判定手段が、受信手段が受信した受信確認キーの数を、所定の基準値と比較する。この基準値は、視聴者が番組を視聴したと判定できる基準を示す値である。したがって視聴判定手段は、受信確認キーの数が基準値を超えるときに、視聴者が番組を視聴したと判定する。
【００１８】
以上のように、放送受信装置は、一定数の受信確認キーを受信したときにはじめて、視聴者が番組を視聴したと判定する。したがって、視聴者がたまたまたある番組を選択し、すぐに他の番組に切り替えた状況では、視聴者が番組を視聴してないと判定する。なぜなら、受信確認キーの受信数が、一定の基準値を満たさないからである。したがって放送受信装置は、視聴者が番組を視聴したか否かをより正確に判定できる効果を奏する。
【００１９】
本発明に係る視聴判定方法は、上記の課題を解決するために、
放送される番組を受信すると共に、当該番組の受信を確認するための複数の受信確認キーを、順次、受信する受信ステップと、
上記受信ステップにおいて受信された上記受信確認キーの数が、あらかじめ定められた基準値を超えるとき、視聴者が上記番組を視聴したと判定する視聴判定ステップとを含んでいることを特徴としている。
【００２０】
上記の構成によれば、上述した放送受信装置と同様の作用、効果を奏する。
【００２１】
本発明に係る視聴管理サーバは、上記の課題を解決するために、
放送される番組を受信すると共に、当該番組の受信を確認するための複数の受信確認キーを、順次、受信する放送受信装置から送信された、当該放送受信装置が受信した上記受信確認キーについての情報を受信する受信手段と、
上記受信手段によって受信された情報に基づき、上記放送受信装置が受信した上記受信確認キーの数を算出する受信確認キー数算出手段と、
上記算出された受信確認キーの数が、あらかじめ定められた基準値を超えるとき、視聴者が上記番組を視聴したと判定する視聴判定手段とを備えていることを特徴としている。
【００２２】
上記の構成によれば、上記の放送受信装置と同様の作用、効果を奏する。
【００２３】
本発明に係る放送受信装置は、上記の課題を解決するために、
放送される番組を受信すると共に、当該番組の受信を確認するための複数の受信確認キーを、順次、受信する放送受信装置であって、
上記受信確認キーを受信する受信手段と、
上記受信手段によって、あらかじめ定められた少なくとも１つの特定の上記受信確認キーが受信され、かつ、上記受信手段によって受信された上記受信確認キーの数が、あらかじめ定められた基準値を超えるとき、視聴者が上記番組を視聴したと判定する視聴判定手段とを備えていることを特徴としている。
【００２４】
上記の構成によれば、放送受信装置は、放送される番組を受信する。さらに、当該番組の受信を確認するための複数の受信確認キーを、番組の受信と共に、順次、受信する。各受信確認キーは、たとえば、番組のデータにあらかじめ多重化されている。
【００２５】
放送受信装置において、受信手段が、受信確認キーを受信する。このとき受信手段は、受信した受信確認キーの数をカウントする。これにより、視聴判定手段が、受信手段が受信した受信確認キーの数を、所定の基準値と比較する。この基準値は、視聴者が番組を視聴したと判定できる基準を示す値である。
【００２６】
ここで、視聴判定手段は、上記受信手段によって、あらかじめ定められた少なくとも１つの特定の上記受信確認キーが受信され、かつ、受信手段が受信した受信確認キーの数が基準値を超えるときに、視聴者が番組を視聴したと判定する。この特定の受信確認キーは、たとえば番組内の重要場面に設定されるものである。すなわち特定の受信確認キーを受信したことは、番組内の特定場面を視聴者が視聴した可能性が高いことを意味する。
【００２７】
以上のように、放送受信装置は、特定の受信確認キーを受信し、かつ、一定数の受信確認キーを受信したときにはじめて、視聴者が番組を視聴したと判定する。したがって、視聴者がたまたまたある番組を選択し、すぐに他の番組に切り替えた状況では、視聴者が番組を視聴してないと判定する。なぜなら、受信確認キーの受信数が、一定の基準値を満たさないからである。また、視聴者があまり熱心に番組を見ず、適当な場面だけをつまみ食いしてみているような状況でも、視聴者が番組を視聴していないと判定する。なぜなら、特定の視聴確認キーが受信されていないからである。
【００２８】
以上のように放送受信装置は、視聴者が番組を視聴したか否かをより正確に判定できる効果を奏する。
【００２９】
本発明に係る視聴判定方法は、上記の課題を解決するために、
放送される番組を受信すると共に、当該番組の受信を確認するための複数の受信確認キーを、順次、受信する受信ステップと、
上記受信ステップにおいて、あらかじめ定められた少なくとも１つの特定の上記受信確認キーが受信され、かつ、上記受信ステップにおいて受信された上記受信確認キーの数が、あらかじめ定められた基準値を超えるとき、視聴者が上記番組を視聴したと判定する視聴判定ステップとを含んでいることを特徴としている。
【００３０】
上記の構成によれば、上述した放送受信装置と同様の作用、効果を奏する。
【００３１】
本発明に係る視聴管理サーバは、上記の課題を解決するために、
放送される番組を受信すると共に、当該番組の受信を確認するための複数の受信確認キーを、順次、受信する放送受信装置から送信された、当該放送受信装置が受信した上記受信確認キーについての情報を受信する受信手段と、
上記受信手段によって受信された情報に基づき、上記放送受信装置が受信した上記受信確認キーの数を算出する受信確認キー数算出手段と、
上記受信手段によって受信された情報に基づき、上記放送受信装置が、あらかじめ定められた少なくとも１つの特定の上記受信確認キーが受信されたか否かを判定する特定キー受信判定手段と、
上記特定キー受信判定手段によって、上記放送受信装置が、あらかじめ定められた少なくとも１つの特定の上記受信確認キーを受信したと判定され、かつ、上記受信確認キー数算出手段によって算出された受信確認キーの数が、あらかじめ定められた基準値を超えるとき、視聴者が上記番組を視聴したと判定する視聴判定手段とを備えていることを特徴としている。
【００３２】
上記の構成によれば、上記の放送受信装置と同様の作用、効果を奏する。
【００３３】
本発明に係る放送受信装置は、上記の課題を解決するために、
放送される番組を受信すると共に、当該番組の受信を確認するための複数の受信確認キーを、順次、受信する放送受信装置であって、
上記受信確認キーを受信する受信手段と、
上記受信確認キーごとにあらかじめ設定されている個別点数を、上記受信された受信確認キーごとに加算することによって、受信点数を算出する受信点数算出手段と、
上記算出された受信点数が、あらかじめ定められた基準値を超えるとき、視聴者が上記番組を視聴したと判定する視聴判定手段とを備えていることを特徴としている。
【００３４】
上記の構成によれば、放送受信装置は、放送される番組を受信する。さらに、当該番組の受信を確認するための複数の受信確認キーを、番組の受信と共に、順次、受信する。各受信確認キーは、たとえば、番組のデータにあらかじめ多重化されている。
【００３５】
放送受信装置において、受信手段が、受信確認キーを受信する。各受信確認キーには、それぞれ、個別点数があらかじめ設定されている。たとえば、第１の受信確認キーには「１０」点が設定されており、第２の受信確認キーには、「２０」点が設定されている。
【００３６】
受信点数算出手段は、受信手段が受信した受信確認キーごとに、設定されている個別点数を加算する。これにより、個別点数の合計である、受信点数を算出する。たとえば、受信手段が第１および第２の受信確認キーを受信したとき、受信点数算出手段は、１０＋２０＝３０点を、受信点数として算出する。
【００３７】
放送受信装置において、視聴判定手段は、受信点数算出手段が算出した受信点数を、所定の基準値と比較する。この基準値は、視聴者が番組を視聴したと判定できる基準を示す値である。したがって視聴判定手段は、受信点数が基準値を超えるときに、視聴者が番組を視聴したと判定する。
【００３８】
以上のように、放送受信装置は、受信点数が一定値を超えたときに初めて、視聴者が番組を視聴したと判定する。したがって、視聴者がたまたまたある番組を選択し、すぐに他の番組に切り替えた状況では、視聴者が番組を視聴してないと判定する。なぜなら、受信点数が、一定の基準値を満たさないからである。
【００３９】
このように放送受信装置は、視聴者が番組を視聴した可能性が高い条件が成立するとき、視聴者が番組を視聴したと判定する。したがって、視聴者が番組を視聴したか否かを、より正確に判定できる効果を奏する。
【００４０】
本発明に係る視聴判定方法は、上記の課題を解決するために、
放送される番組を受信すると共に、当該番組の受信を確認するための複数の受信確認キーを、順次、受信する受信ステップと、
上記受信確認キーごとにあらかじめ設定されている個別点数を、上記受信された受信確認キーごとに加算することによって、受信点数を算出する受信点数算出ステップと、
上記算出された受信点数が、あらかじめ定められた基準値を超えるとき、視聴者が上記番組を視聴したと判定する視聴判定ステップとを含んでいることを特徴としている。
【００４１】
上記の構成によれば、上述した放送受信装置と同様の作用、効果を奏する。
【００４２】
本発明に係る視聴管理サーバは、上記の課題を解決するために、
放送される番組を受信すると共に、当該番組の受信を確認するための複数の受信確認キーを、順次、受信する放送受信装置が送信した、当該放送受信装置が受信した上記受信確認キーについての情報を受信する受信手段と、
上記受信手段によって受信された情報に基づき、上記受信確認キーごとにあらかじめ設定されている個別点数を、上記放送受信装置によって受信された上記受信確認キーごとに加算することによって、受信点数を算出する受信点数算出手段と、
上記算出された受信点数が、あらかじめ定められた基準値を超えるとき、視聴者が上記番組を視聴したと判定する視聴判定手段とを備えていることを特徴としている。
【００４３】
上記の構成によれば、上記放送受信装置と同様の作用、効果を奏する。
【００４４】
本発明に係る放送受信装置は、上記の課題を解決するために、
放送される番組を受信すると共に、当該番組の受信を確認するための複数の受信確認キーを、順次、受信する放送受信装置であって、
上記受信確認キーを受信する受信手段と、
上記受信確認キーごとにあらかじめ設定されている個別点数を、上記受信された受信確認キーごとに加算することによって、受信点数を算出する受信点数算出手段と、
上記受信手段によって、あらかじめ定められた少なくとも１つの特定の上記受信確認キーが受信され、かつ、上記算出された受信点数が、あらかじめ定められた基準値を超えるとき、視聴者が上記番組を視聴したと判定する視聴判定手段とを備えていることを特徴としている。
【００４５】
上記の構成によれば、放送受信装置は、放送される番組を受信する。さらに、当該番組の受信を確認するための複数の受信確認キーを、番組の受信と共に、順次、受信する。各受信確認キーは、たとえば、番組のデータにあらかじめ多重化されている。
【００４６】
放送受信装置において、受信手段が、受信確認キーを受信する。各受信確認キーには、それぞれ、個別点数があらかじめ設定されている。たとえば、第１の受信確認キーには「１０」点が設定されており、第２の受信確認キーには、「２０」点が設定されている。
【００４７】
受信点数算出手段は、受信手段が受信した受信確認キーごとに、設定されている個別点数を加算する。これにより、個別点数の合計である、受信手段を算出する。たとえば、受信手段が第１および第２の受信確認キーを受信したとき、受信点数算出手段は、１０＋２０＝３０点を、受信点数として算出する。
【００４８】
放送受信装置において、視聴判定手段は、受信点数算出手段が算出した受信点数を、所定の基準値と比較する。この基準値は、視聴者が番組を視聴したと判定できる基準を示す値である。
【００４９】
ここで、視聴判定手段は、上記受信手段によって、あらかじめ定められた少なくとも１つの特定の上記受信確認キーが受信され、かつ、受信点数が基準値を超えるときに、視聴者が番組を視聴したと判定する。この特定の受信確認キーは、たとえば番組内の重要場面に設定されるものである。すなわち特定の受信確認キーを受信したことは、番組内の特定場面を視聴者が視聴した可能性が高いことを意味する。
【００５０】
以上のように、放送受信装置は、受信点数が一定値を超えたときに初めて、視聴者が番組を視聴したと判定する。したがって、視聴者がたまたまたある番組を選択し、すぐに他の番組に切り替えた状況では、視聴者が番組を視聴してないと判定する。なぜなら、受信点数が、一定の基準値を満たさないからである。また、視聴者があまり熱心に番組を見ず、適当な場面だけをつまみ食いしてみているような状況でも、視聴者が番組を視聴していないと判定する。なぜなら、特定の視聴確認キーが受信されていないからである。
【００５１】
このように放送受信装置は、視聴者が番組を視聴した可能性が高い条件が成立するとき、視聴者が番組を視聴したと判定する。したがって、視聴者が番組を視聴したか否かを、より正確に判定できる効果を奏する。
【００５２】
本発明に係る視聴判定方法は、上記の課題を解決するために、
放送される番組を受信すると共に、当該番組の受信を確認するための複数の受信確認キーを、順次、受信する受信ステップと、
上記受信確認キーごとにあらかじめ設定されている個別点数を、上記受信された受信確認キーごとに加算することによって、受信点数を算出する受信点数算出ステップと、
上記受信ステップにおいて、あらかじめ定められた少なくとも１つの特定の上記受信確認キーが受信され、かつ、上記算出された受信点数が、あらかじめ定められた基準値を超えるとき、視聴者が上記番組を視聴したと判定する視聴判定ステップとを含んでいることを特徴としている。
【００５３】
上記の構成によれば、上述した放送受信装置と同様の作用、効果を奏する。
【００５４】
本発明に係る視聴管理サーバは、上記の課題を解決するために、
放送される番組を受信すると共に、当該番組の受信を確認するための複数の受信確認キーを、順次、受信する放送受信装置が送信した、当該放送受信装置が受信した上記受信確認キーについての情報を受信する受信手段と、
上記受信手段によって受信された情報に基づき、上記受信確認キーごとにあらかじめ設定されている個別点数を、上記放送受信装置によって受信された上記受信確認キーごとに加算することによって、受信点数を算出する受信点数算出手段と、
上記受信手段によって受信された情報に基づき、上記放送受信装置が、あらかじめ定められた少なくとも１つの特定の上記受信確認キーが受信されたか否かを判定する特定キー受信判定手段と、
上記特定キー受信判定手段によって、上記放送受信装置が、あらかじめ定められた少なくとも１つの特定の上記受信確認キーを受信したと判定され、かつ、上記受信確認キー数算出手段によって算出された上記受信点数が、あらかじめ定められた基準値を超えるとき、視聴者が上記番組を視聴したと判定する視聴判定手段とを備えていることを特徴としている。
【００５５】
上記の構成によれば、上記放送受信装置と同様の作用、効果を奏する
本発明に係る放送受信装置は、上記の課題を解決するために、
放送される番組を受信放送受信装置であって、
上記番組を受信する受信手段と、
上記受信手段によって上記番組が受信されているときに、上記番組に関する質問を、上記番組の視聴者に提示する質問提示手段と、
上記提示された質問に対する視聴者の回答が正しいとき、上記視聴者が上記番組を視聴したと判定する視聴判定手段とを備えていることを特徴としている。
【００５６】
上記の構成によれば、放送受信装置において、受信手段が番組を受信する。ここで、番組が受信手段によって受信されているとき、質問提示手段が、上記番組に関する質問を視聴者に提示する。このとき質問提示手段は、たとえば、表示装置に質問を表示させることもできるし、音声再生装置に質問の音声を再生させることもできる。
【００５７】
放送受信装置において、視聴判定手段は、上記質問に対する視聴者の答えが正しいか否かを判定する。正しければ、視聴者が番組を視聴したと判定する。
【００５８】
以上のように、放送受信装置は、番組に関する質問に、視聴者が正しく回答したとき初めて、視聴者が番組を視聴したと判定する。したがって、放送受信装置が番組を受信しているけれども、視聴者が番組をまったく視聴していない状況では、視聴者が番組を視聴してないと判定する。なぜなら視聴者が質問に答えないからである。あるいは、質問を瞬間的にみた視聴者が、あてずっぽうに間違って答えるからである。
【００５９】
このように放送受信装置は、視聴者が番組を視聴した可能性が高い条件が成立するとき、視聴者が番組を視聴したと判定する。したがって、視聴者が番組を視聴したか否かを、より正確に判定できる効果を奏する。
【００６０】
本発明に係る視聴判定方法は、上記の課題を解決するために、
放送される番組を受信ステップと、
上記受信ステップにおいて上記番組が受信されているとき、上記番組に関する質問を、上記番組の視聴者に提示する質問提示ステップと、
上記提示された質問に対する視聴者の回答が正しいとき、上記視聴者が上記番組を視聴したと判定する視聴判定ステップとを備えていることを特徴としている。
【００６１】
上記の構成によれば、上述した放送受信装置と同様の作用、効果を奏する。
【００６２】
本発明に係る視聴管理サーバは、上記の課題を解決するために、
放送される番組を受信する放送受信装置に対し、上記番組が当該放送受信装置によって受信されていることを、上記放送受信装置から送信された情報に基づき確認したあとに、上記番組に関する質問の、上記番組の視聴者に対する提示を、当該放送受信装置に実行させる質問提示手段と、
上記提示された質問に対する視聴者の回答が正しいとき、上記視聴者が上記番組を視聴したと判定する視聴判定手段とを備えていることを特徴としている。
【００６３】
上記の構成によれば、上記放送受信装置と同様の作用、効果を奏する。
【００６４】
本発明に係る放送受信装置は、上記の課題を解決するために、
放送される番組を受信すると共に、当該番組の受信を確認するための少なくとも１つの受信確認キーを受信する放送受信装置であって、
上記受信確認キーを受信する受信手段と、
上記受信手段によって上記受信確認キーが受信されたあとに、上記番組に関する質問を、上記番組の視聴者に提示する質問提示手段と、
上記提示された質問に対する視聴者の回答が正しいとき、上記視聴者が上記番組を視聴したと判定する視聴判定手段とを備えていることを特徴としている。
【００６５】
上記の構成によれば、放送受信装置は、放送される番組を受信する。さらに、当該番組の受信を確認するための少なくとも１つの受信確認キーを、番組の受信と共に、順次、受信する。各受信確認キーは、たとえば、番組のデータにあらかじめ多重化されている。
【００６６】
放送受信装置において、受信手段が、受信確認キーを受信する。受信確認キーが受信手段によって受信されたあと、質問提示手段が、上記番組に関する質問を視聴者に提示する。このとき質問提示手段は、たとえば、表示装置に質問を表示させることもできし、音声再生装置に質問の音声を再生させることもできる。
【００６７】
放送受信装置において、視聴判定手段は、上記質問に対する視聴者の答えが正しいか否かを判定する。正しければ、視聴者が番組を視聴したと判定する。
【００６８】
以上のように、放送受信装置は、番組に関する質問に、視聴者が正しく回答したとき初めて、視聴者が番組を視聴したと判定する。したがって、放送受信装置が番組を受信しているけれども、視聴者が番組をまったく視聴していない状況では、視聴者が番組を視聴してないと判定する。なぜなら視聴者が質問に答えないからである。あるいは、質問を瞬間的にみた視聴者が、あてずっぽうに間違って答えるからである。また、視聴確認キーを受信していない状況では、視聴者に質問を提示しない。したがって、まず視聴者は、番組の視聴に集中できる。さらに放送受信装置は、視聴者が番組を視聴しないで質問だけに答えるような行為を、排除できる。
【００６９】
このように放送受信装置は、視聴者が番組を視聴した可能性が高い条件が成立するとき、視聴者が番組を視聴したと判定する。したがって、視聴者が番組を視聴したか否かを、より正確に判定できる効果を奏する。また、視聴者に無用な混乱を与えなくて済む。
【００７０】
本発明に係る視聴判定方法は、上記の課題を解決するために、
放送される番組を受信すると共に、当該番組の受信を確認するための少なくとも１つの受信確認キーを受信する受信ステップと、
上記受信ステップにおいて上記受信確認キーが受信されたあとに、上記番組に関する質問を、上記番組の視聴者に提示する質問提示ステップと、
上記提示された質問に対する視聴者の回答が正しいとき、上記視聴者が上記番組を視聴したと判定する視聴判定ステップとを備えていることを特徴としている。
【００７１】
上記の構成によれば、上述した放送受信装置と同様の作用、効果を奏する。
【００７２】
本発明に係る視聴管理サーバは、上記の課題を解決するために、
放送される番組を受信すると共に、当該番組の受信を確認するための少なくとも１つの受信確認キーを受信する放送受信装置に対し、上記受信確認キーが当該放送受信装置によって受信されたことを、上記放送受信装置から送信された情報に基づき確認したあとに、上記番組に関する質問の、上記番組の視聴者に対する提示を、当該放送受信装置に実行させる質問提示手段と、
上記提示された質問に対する視聴者の回答が正しいとき、上記視聴者が上記番組を視聴したと判定する視聴判定手段とを備えていることを特徴としている。
【００７３】
上記の構成によれば、上記放送受信装置と同様の作用、効果を奏する。
【００７４】
また、本発明に係る放送受信装置では、さらに、
上記受信手段は、上記番組を受信すると共に、上記質問の提示を指示する質問提示指示キーを受信し、
上記質問提示手段は、上記受信手段によって上記質問提示指示キーが受信されたあとに、上記番組に関する質問を、上記番組の視聴者に提示することが好ましい。
【００７５】
上記の構成によれば、質問提示手段は、質問提示指示キーの受信タイミングに応じて、質問を提示することができる。たとえば、質問提示指示キーの受信タイミングに応じて、別途用意されているデータベースから質問データを取得し、当該質問データによって表される質問を視聴者に提示する。
【００７６】
これにより放送受信装置は、あらかじめ質問データが番組に多重化されていなくても、正確なタイミングで確実に質問を視聴者に提示することができる効果を奏する。
【００７７】
また、本発明に係る放送受信装置では、さらに、
上記受信確認キーは、上記番組を識別するための番組識別子を含んでおり、
上記視聴判定手段は、上記番組識別子に基づき、上記番組の種類を特定することが好ましい。
【００７８】
上記の構成によれば、視聴判定手段は、受信手段が受信した受信確認キーを調べることによって、受信手段が受信している番組がどの番組であるのかを特定できる。したがって、別途、電子番組表などの、番組情報を取得する必要がない。これにより放送受信装置は、視聴者によって視聴されたと判定できる番組がどの番組であるのかを、より効率的に特定できる効果を奏する。
【００７９】
また、本発明に係る放送受信装置では、さらに、
上記受信確認キーは、上記番組内の場面を識別するための場面識別子を含んでおり、
上記視聴判定手段は、上記場面識別子に基づき、上記番組内の上記場面を、上記視聴者が視聴したと判定することが好ましい。
【００８０】
上記の構成によれば、視聴判定手段は、視聴者が視聴していると判定できる、番組内の場面を、より効率的に特定できる。また、受信確認キーに番組識別子を含める必要がないので、受信確認キーのサイズを小さくすることができる。したがって、受信確認キーの伝送に要する通信容量を抑えることができる。
【００８１】
また、本発明に係る放送受信装置では、さらに、
上記視聴判定手段は、上記番組についての番組情報に基づき、上記番組を特定することが好ましい。たとえば、電子番組表（ＥＰＧ）などの番組情報を用いて、視聴者が視聴した番組を特定する。上記の構成によれば、視聴判定手段は、視聴者が視聴したと判定できる番組がどの番組であるのかを、より効率的に特定できる。
【００８２】
また、本発明に係る放送受信装置では、さらに、
上記視聴判定手段は、上記受信手段が上記受信確認キーを受信した時間に基づき、上記番組を特定することが好ましい。
【００８３】
上記の構成によれば、視聴判定手段は、受信手段が受信確認キーを受信した時間に基づき、受信手段が受信している番組がどの番組であるのかを特定する。したがって、別途、電子番組表などの、番組情報を取得する必要がない。これにより放送受信装置は、視聴者によって視聴されたと判定できる番組が、どの番組であるのかを、より効率的に特定できる効果を奏する。
【００８４】
また、本発明に係る放送受信装置では、さらに、
上記視聴判定手段によって、上記視聴者が上記番組を視聴したと判定されたとき、上記視聴者に対してインセンティブを提供するインセンティブ提供手段をさらに備えていることが好ましい。
【００８５】
上記の構成によれば、インセンティブ提供手段は、視聴判定手段によって、視聴者が番組を視聴したと判定されたとき、視聴者に対して、何らかのインセンティブを提供する。たとえばインセンティブ提供手段は、有償の番組を無償で視聴できる権利を視聴者に提供する。あるいは、視聴した番組の数に応じて、番組視聴代金を値引きする。
【００８６】
これにより、視聴者による番組視聴の意欲を高めることができる。その結果として、番組の視聴率を向上できる効果を奏する。
【００８７】
また、本発明に係る放送受信装置は、さらに、
上記視聴判定手段によって、上記視聴者が上記番組を視聴したと判定されたとき、上記視聴者に対してインセンティブを提供するインセンティブ提供手段と、
上記受信手段によって上記受信確認キーが未だ受信されていないとき、上記インセンティブについての情報を視聴者に告知する告知手段をさらに備えていることが好ましい。
【００８８】
上記の構成によれば、受信手段によって受信確認キーが未だ受信されていないとき、告知手段は、インセンティブについての情報を視聴者に告知する。これにより視聴者は、インセンティブを獲得するために、番組の視聴を続けようとする。
【００８９】
したがって放送受信装置は、番組の視聴率をより向上させることができる効果を奏する。
【００９０】
また、本発明に係る放送受信装置は、さらに、
上記視聴判定手段によって、上記視聴者が上記番組を視聴したと判定されたとき、上記番組に関する質問を、上記番組の視聴者に提示する質問提示手段と、
上記提示された質問に対する視聴者の回答が正しいとき、上記視聴者に対してインセンティブを提供するインセンティブ提供手段とをさらに備えていることが好ましい
上記の構成によれば、視聴判定手段によって、視聴者が番組を視聴したと判定されたとき、質問提示手段が、番組に関する質問を番組の視聴者に提示する。この質問に対して視聴者が正しく回答したとき、インセンティブ提供手段が、視聴者にインセンティブを提供する。たとえばインセンティブ提供手段は、有償の番組を無償で視聴できる権利を視聴者に提供する。あるいは、視聴した番組の数に応じて、番組視聴代金を値引きする。
【００９１】
これにより放送受信装置は、視聴者による番組視聴の意欲を高めることができる。その結果として、番組の視聴率を向上できる効果を奏する。また、視聴者が番組を見たと判定できないときには、視聴者に質問を提示しない。したがって、不正にインセンティブを得ようとする視聴者の行為を防止できる。
【００９２】
また、本発明に係る放送受信装置は、さらに、
上記視聴判定手段によって、上記視聴者が上記番組を未だ視聴していないと判定されたとき、上記インセンティブについての情報を視聴者に告知する告知手段をさらに備えていることが好ましい。
【００９３】
上記の構成によれば、視聴判定手段によって、視聴者が番組を未だ視聴していないと判定されたとき、告知手段が、インセンティブについての情報を視聴者に告知する。たとえば、番組の一定時間視聴すれば、問題を出題すること、および、この問題に正しく回答すれば、一定のインセンティブを与えることなどを、視聴者に告知する。これにより視聴者は、インセンティブを獲得するために、番組の視聴を続けようとする。また、質問が提示されたとき、正確に答えようと努める。
【００９４】
したがって放送受信装置は、番組の視聴率をより向上させることができる効果を奏する。
【００９５】
本発明に係る放送システムは、上記の課題を解決するために、
上述したいずれかの放送受信装置と、
上記放送受信装置に、上記番組および上記受信確認キーを送信する放送送信装置とを含んでいることを特徴とする。
【００９６】
上記の構成によれば、視聴者が番組を視聴したか否かをより正確に判定する放送システムを提供できる効果を奏する。また、本構成の放送システムでは、視聴者が番組を視聴したか否かを、各放送送信装置が判定する。そのため、視聴を判定するための特別なサーバを用意する必要がない。
【００９７】
本発明に係る放送システムは、上記の課題を解決するために、
上述したいずれかの視聴管理サーバと、上記放送受信装置と含んでいることを特徴とする。
【００９８】
上記の構成によれば、視聴者が番組を視聴したか否かをより正確に判定する放送システムを提供できる効果を奏する。また、本構成の放送システムでは、視聴者が番組を視聴したか否かを、放送送信装置からの情報に基づき、視聴管理サーバが判定する。そのため、各放送受信装置の構成をより簡素なものにでき、かつ、各放送受信装置に掛かる処理の負担を軽減することができる。
【００９９】
なお、上記放送受信装置は、コンピュータによって実現してもよい。この場合、コンピュータを上記各手段として動作させることにより上記放送受信装置をコンピュータにおいて実現する視聴判定プログラム、およびその視聴判定プログラムを記録したコンピュータ読み取り可能な記録媒体も、本発明の範疇に入る。
【０１００】
また、上記視聴管理サーバは、コンピュータによって実現してもよい。この場合、コンピュータを上記各手段として動作させることにより上記視聴管理サーバをコンピュータにおいて実現する視聴判定プログラム、およびその視聴判定プログラムを記録したコンピュータ読み取り可能な記録媒体も、本発明の範疇に入る。
【発明の効果】
【０１０１】
以上のように、本発明に係る第１の放送受信装置は、受信手段によって受信された受信確認キーの数が、あらかじめ定められた基準値を超えるとき、視聴者が上記番組を視聴したと判定する視聴判定手段を備えているため、視聴者が番組を視聴したか否かをより正確に判定する効果を奏する。
【０１０２】
以上のように、本発明に係る第２の放送受信装置は、上記受信確認キーごとにあらかじめ設定されている個別点数から算出された受信点数が、あらかじめ定められた基準値を超えるとき、視聴者が上記番組を視聴したと判定する視聴判定手段を備えているため、視聴者が番組を視聴したか否かをより正確に判定する効果を奏する。
【０１０３】
以上のように、本発明に係る第３の放送受信装置は、  提示された質問に対する視聴者の回答が正しいとき、視聴者が番組を視聴したと判定する視聴判定手段を備えているため、視聴者が番組を視聴したか否かをより正確に判定する効果を奏する。
【発明を実施するための最良の形態】
【０１０４】
〔実施形態１〕
本発明に係る第１の実施形態について、図１〜図１２を参照して以下に説明する。
【０１０５】
（放送システム１）
まず、本発明に係る放送システム１の構成について、図１を参照して以下に説明する。図１は、第１の実施形態に係る放送システム１の要部構成を示す図である。この図に示すように、放送システム１は、放送データ送信機２（放送送信装置）、放送データ受信機３（放送受信装置）、および視聴管理サーバ４を含んでいる。
【０１０６】
ここで、放送データ受信機３は、放送データ受信部５（受信手段）、メモリ６、受信確認処理部７（受信確認キー数算出手段、特定キー受信判定手段）、受信確認キー抽出部８、表示処理部９（質問提示手段、告知手段）、入力処理部１０、表示装置１１、および入力装置１２を備えている。一方、視聴管理サーバ４は、データ通信部１３、視聴判定部１４（視聴判定手段、受信点数算出手段、受信確認キー数算出手段、特定キー受信判定手段、インセンティブ提供手段）、視聴判定データベース１５、および視聴結果データベース１６を備えている。
【０１０７】
放送データ送信機２は、放送番組を表す番組データを含んでいる放送データを、放送データ受信機３に送信する。放送データ受信機３は、送信された放送データを受信することによって、番組を表示装置１１に表示させる。これにより視聴者は、表示装置１１を通じて番組を視聴する。
【０１０８】
（放送データ２０）
本実施形態において、放送データ送信機２は、図２に示す構造の放送データ２０を放送データ受信機３に送信する。図２は、放送データ２０の構造の一例を示す図である。この図に示すように、放送データ２０において、番組データ２２には、複数の受信確認キー２４が多重化されている。
【０１０９】
番組データ２２は、番組を表すデータである。受信確認キー２４は、番組データ２２によって表される番組を、放送データ受信部５が受信した否かを判定するために使用されるデータである。このデータは、少なくとも、受信確認キー２４であることが識別さえできる構造であればよい。すなわち、すなわち受信確認キー２４は、番組データ２２によって表される番組を特定するための情報を含んでいてもよく、いなくてもよい。または、受信確認キー２４が番組データ２２において多重化されている位置が、番組におけるどの場面を表すのか示す情報を、含んでいてもよく、いなくてもよい。
【０１１０】
（受信確認キー２４の抽出）
放送データ受信機３は、受信した放送データ２０から受信確認キー２４を抽出する。さらに、抽出した受信確認キー２４の数をカウントし、カウント結果を視聴管理サーバ４に送信する。
【０１１１】
視聴管理サーバ４は、放送データ受信機３から送信された、受信確認キー２４のカウント数を、あらかじめ定められた基準値と比較する。その結果、カウント数が基準値よりも多ければ、視聴者が番組を視聴したと判定する。
【０１１２】
このとき視聴管理サーバ４は、図３に示す基準値管理テーブル３０を用いる。視聴管理サーバ４において、基準値管理テーブル３０は、視聴判定データベース１５にあらかじめ形成されている。図３は、基準値管理テーブル３０の構成を示す図である。この図に示すように、基準値管理テーブル３０は、番組を識別するための番組ＩＤと、視聴者が番組を視聴したか否かを判定するときの基準となる基準値とを、あらかじめ関連付けて格納している。
【０１１３】
たとえば、基準値管理テーブル３０は、識別子「番組Ａ」に、基準値「５」を関連付けて格納している。また、識別子「番組Ｂ」に、基準値「３」を関連付けて格納している。また、識別子「番組Ｃ」に、基準値「１２」を関連付けて格納している。また、識別子「番組Ｄ」に、基準値「７」を関連付けて格納している。
【０１１４】
したがって放送データ受信機３は、たとえば、番組Ａのデータを含んでいる放送データ２０から抽出された受信確認キー２４のカウント数が、「５」を超えたときに、視聴者が番組Ａを視聴したと判定する。
【０１１５】
（処理の流れ）
本実施形態に係る放送システム１が実行する処理の流れを、図４を参照して以下に説明する。図４は、第１の実施形態に係る放送システム１が実行する処理の流れを説明するフローチャートである。
【０１１６】
放送データ送信機２は、図２に示す放送データ２０を放送データ受信機３に送信する。放送データ受信機３において、放送データ受信部５が、送信された放送データ２０を受信する（ステップＳ４１）。放送データ受信部５は、受信した放送データ２０を、入力処理部１０および受信確認キー抽出部８に出力する。特に図示しないが、入力処理部１０は、入力された番組データ２２によって表される番組を、表示装置１１に表示させる。
【０１１７】
受信確認キー抽出部８は、入力された放送データ２０に受信確認キー２４が含まれているか否かを判定する（ステップＳ４２）。含まれていないと判定したとき（Ｎｏ）、番組の終了であるか否かを判定する（ステップＳ４３）。番組の終了であると判定したとき（Ｙｅｓ）、放送システム１は、図４に示す処理を終了する。一方、番組の終了でないと判定したとき（Ｎｏ）、処理はステップＳ４２に戻る。このとき受信確認キー抽出部８は、再び、放送データ２０に受信確認キー２４が含まれているか否かを判定する。
【０１１８】
一方、ステップＳ４２において、放送データ２０に受信確認キー２４が含まれていると判定したとき（Ｙｅｓ）、受信確認キー抽出部８は、放送データ２０から受信確認キー２４を抽出する（ステップＳ４４）。受信確認キー抽出部８は、受信確認キー２４を抽出したことを、受信確認処理部７に通知する。これにより受信確認処理部７は、メモリ６に格納されている、受信確認キー２４のカウント数を、１つ増やす（ステップＳ４５）。
【０１１９】
つぎに、受信確認処理部７は、受信確認キー２４のカウント数を、視聴管理サーバ４に送信する（ステップＳ４６）。視聴管理サーバ４では、送信されたカウント数を、データ通信部１３が受信する。データ通信部１３は、受信したカウント数を、視聴判定部１４に出力する。このとき視聴判定部１４は、何らかの方法によって、番組の識別子を特定する。たとえば、番組の識別子が「Ａ」であるとする。このとき視聴判定部１４は、視聴判定データベース１５にアクセスし、基準値管理テーブル３０から、番組Ａの基準値を取得する。
【０１２０】
視聴判定部１４は、基準値管理テーブル３０から取得した基準値と、データ通信部１３から入力されたカウント数とを比較する（ステップＳ４７）。これにより、カウント数が基準値を超えているか否かを判定する（ステップＳ４８）。
【０１２１】
ステップＳ４８において、カウント数が基準値を超えていないと判定したとき（Ｎｏ）、視聴判定部１４は、特に何もしない。この場合、放送データ受信機３において、ステップＳ４２以降の処理が進む。
【０１２２】
一方、ステップＳ４８において、カウント数が基準値を超えていると判定したとき（Ｙｅｓ）、視聴判定部１４は、視聴者が番組を視聴したと判定する。これにより視聴判定部１４は、視聴者が番組を視聴したことを表すデータを、視聴結果データベース１６に保存する。本実施形態では、視聴判定部１４は、このデータを、視聴結果データベース１６に形成されている視聴結果テーブル５０に保存する。
【０１２３】
図５は、視聴結果テーブル５０の構成を示す図である。視聴結果テーブル５０は、図５に示すように、放送データ受信機３を識別するための識別子（受信機ＩＤ）と、番組ごとの視聴結果を、互いに関連付けて格納している。たとえば、視聴判定部１４が、受信機ＩＤが「１」である放送データ受信機３を用いて、視聴者が番組Ａを視聴したと判定したとする。このとき、視聴判定部１４は、視聴結果テーブル５０において、受信機ＩＤが「１」であり、かつ、番組ＩＤが「Ａ」であるカラムに、「視聴済み」を表すデータを格納する。
【０１２４】
このように視聴判定部１４は、視聴結果テーブル５０を用いることによって、視聴者が番組を視聴したか否かを、番組ごとに、かつ、放送データ受信機３ごとに管理する。
【０１２５】
以上のように、視聴判定部１４は、単に１つの受信確認キー２４を受信確認キー抽出部８が抽出しただけでは、視聴者が番組を視聴したと判定しない。その代わり、受信確認キー抽出部８が抽出した複数の受信確認キー２４の数が、あらかじめ定められた基準値を超えるとき、はじめて、視聴者が番組を視聴したと判定する。
【０１２６】
受信確認キー抽出部８が複数の受信確認キー２４を抽出することは、放送データ受信機３が、ある程度の時間、連続して放送データ２０を受信したことを意味する。したがって、視聴者は、一瞬だけチャンネルを切り替えたのではなく、ある程度の時間、番組を続けて視聴していた可能性が高い。これにより視聴判定部１４は、視聴者が番組を視聴したことを、より正確に判定できる。
【０１２７】
（番組の特定）
放送データ受信機３が受信している番組が何であるのかについて、視聴判定部１４は、何らかの方法を用いて特定できればよい。一例として、視聴判定部１４は、電子番組表（Ｅｌｅｃｔｒｏｎｉｃ  Ｐｒｏｇｒａｍ  Ｇｕｉｄｅ、ＥＰＧ）を用いることによって、放送データ受信部５が受信している番組を特定できる。
【０１２８】
図６は、ＥＰＧデータ６６が多重化されている放送データ６０の例を示す図である。この図に示すように、放送データ６０では、番組データ６２に複数の受信確認キー６４と、１つのＥＰＧデータ６６が多重化されている。ＥＰＧデータ６６は、ＥＰＧを表すデータである。このＥＰＧは、番組を特定するために十分な各種の情報を含んでいる。
【０１２９】
放送データ受信部５は、受信した放送データ６０から、ＥＰＧデータ６６を抽出する。抽出したＥＰＧデータ６６を、メモリ６に保存する。これにより受信確認キー抽出部８は、受信確認キー６４を抽出したときに、さらに、メモリ６に記憶されているＥＰＧデータ６６から、番組の情報を取得する。これにより受信確認処理部７は、受信確認キー６４のカウント数を視聴管理サーバ４に送信するとき、同時に、取得した番組の情報も送信する。これにより視聴判定部１４は、放送データ受信機３から送信された、番組の情報に基づき、番組を特定できる。
【０１３０】
以上の番組特定方法はあくまで一例に過ぎない。たとえば放送データ受信機３は、ＥＰＧデータ６６を、別途、インターネットなどの通信ネットワークを通じて取得することもできる。
【０１３１】
（連番の受信確認キー）
放送データ送信機２は、図７に示す構成の放送データ７０ａおよび７０ｂを、放送データ受信機３に送信することもできる。図７（ａ）は、連番の受信確認キーが重化されている放送データ７０ａの構成を示す図である。図７（ｂ）は、連番の受信確認キーが重化されている放送データ７０ｂの構成を示す図である。
【０１３２】
図７（ａ）に示すように、放送データ７０ａにおいて、番組データ７２ａに、受信確認キー７３、７４、および７５が多重化されている。一方、図７（ｂ）に示すように、放送データ７０ｂにおいて、番組データ７２ｂに、受信確認キー７７、７８、および７９が多重化されている。
【０１３３】
受信確認キー７３〜７９には、連続する番号が振られている。たとえば、受信確認キー７３は、受信確認キーＩＤとしての「１」を有している。一方、受信確認キー７４は、受信確認キーＩＤとしての「２」を有している。
【０１３４】
ここで視聴判定部１４は、受信確認キーが多重化されている番組データが、どの番組を表しているのかを、図８に示す番組管理テーブル８０を用いて特定する。図８は、番組管理テーブル８０の構成を示す図である。番組管理テーブル８０は、視聴管理サーバ４において、視聴判定データベース１５に格納されている。図８に示すように、番組管理テーブル８０は、受信確認キーＩＤと、番組ＩＤとを関連付けて格納している。
【０１３５】
番組管理テーブル８０において、受信確認キーＩＤが「１」であるとき、番組ＩＤは「Ａ」である。したがって視聴判定部１４は、この番組管理テーブル８０を用いることによって、受信確認キーＩＤとして「１」を有している受信確認キー７３が、番組Ａを表す番組データ７０に多重化されていることを特定する。すなわち、受信確認キー７３が、番組Ａについてのキーであることを特定する。同様に、受信確認キー７４から７６を、番組Ａについての受信確認キーであることを特定する。一方、受信確認キー７７から７９を、番組Ｂについての受信確認キーだと特定する。
【０１３６】
以上のように、視聴判定部１４は、番組を特定するための情報が、受信確認キーにあらかじめ含まれていなくても、各種の方法を用いて、受信確認キーに対応する番組を特定できる。以上の番組特定方法はあくまで例示であるに過ぎない。そのため、視聴判定部１４は、他に考えられるあらゆる方法によって、受信確認キーに対応する番組を特定できる。
【０１３７】
（放送システム１の他の構成）
放送システム１では、視聴判定部１４は、必ずしも視聴管理サーバ４に備えられる必要はない。すなわち、放送システム１は、図９に示す構成としても実現できる。図９は、視聴判定部１４が放送データ受信機３に備えられている構成の放送システム１を表すブロック図である。
【０１３８】
この図に示す放送システム１では、視聴判定部１４が、視聴管理サーバ４ではなく放送データ受信機３に備えられている。すなわち、視聴者が番組を視聴したか否かを、視聴管理サーバ４ではなく、放送データ受信機３が判定する。
【０１３９】
このとき視聴管理サーバ４は、番組の視聴を判定するための基準値を、放送データ受信機３にあらかじめ提供しておく。具体的には、視聴管理サーバ４において、データ通信部１３が、視聴判定データベース１５から、基準値管理テーブル３０そのものを読み出す。そして、読み出した基準値管理テーブル３０を、放送データ受信機３に送信する。
【０１４０】
放送データ受信機３においては、視聴判定部１４が、送信された基準値管理テーブル３０を受信する。これにより視聴判定部１４は、基準値管理テーブル３０を、メモリ６に格納する。
【０１４１】
このとき、放送データ受信機３において、受信確認キー抽出部８は、放送データから抽出した受信確認キーを視聴判定部１４に出力する。視聴判定部１４は、入力された受信確認キーの数をカウントする。つぎに、メモリ６に保存されている基準値管理テーブル３０から、番組の基準値を読み出す。このとき、受信確認キーのカウント数が基準値を超えていたら、視聴判定部１４は、視聴者が番組を視聴したと判定する。これにより視聴判定部１４は、番組の識別子と、放送データ受信機３の識別子と、視聴者が番組を視聴した知を意味する情報とを、視聴管理サーバ４に送信する。
【０１４２】
視聴管理サーバ４では、データ通信部１３が、視聴判定部１４からの通知を受信する。これによりデータ通信部１３が、視聴結果データベース１６にアクセスし、受信した受信機ＩＤのカラムに、視聴者が番組を視聴したことを表す「視聴済み」のデータを格納する。すなわち、データ通信部１３は、視聴者による番組の視聴結果を、視聴結果テーブル５０に格納する。
【０１４３】
なお、図９に示す放送システム１も、あくまで、一例に過ぎない。すなわち本発明として構成可能な放送システム１は、図９に示すものに限定されるわけではない。放送システム１では、いずれかの装置に備えられる視聴判定部１４が、視聴者が番組を視聴したことを適宜、判定できればよい。
【０１４４】
〔実施形態２〕
本発明に係る実施形態について、図１０から図１４を参照して以下に説明する。
【０１４５】
図１０は、受信確認キーを特定するための識別子、を含んでいる受信確認キー、が多重化されている放送データ１００を構成を示す図である。放送データ１００では、番組データ１０２に、受信確認キー１０３から１０７が多重化されている。これらの受信確認キーは、いずれも、受信確認キーを個別に識別するための識別子すなわち受信確認キーＩＤを含んでいる。したがって、視聴管理サーバ４において、視聴判定部１４は、放送データ受信機３から送信された受信確認キーを、それぞれ個別に特定できる。
【０１４６】
本実施形態では、視聴判定部１４は、図１１に示す点数管理テーブル１１０、および図１２に示す基準値管理テーブル１２０を用いる。以下に、各テーブルについて説明する。図１１は、点数管理テーブル１１０を示す図である。この図に示すように、点数管理テーブル１１０は、受信確認キーＩＤと、個別点数とを互いに関連付けて格納している。たとえば、受信確認キーＩＤが「１」であれば、個別点数は１０点である。また、受信確認キーＩＤが「２」であれば、個別点数は２０点である。
【０１４７】
視聴判定部１４は、入力された受信確認キーのＩＤに対応する個別点数を、点数管理テーブル１１０から読み出す。読み出した個別点数を、それまでに算出していた合計点数に加算する。こうして、放送データ受信機３が受信している放送データ１００の番組に関する、放送データ受信機３が取得した受信点数を算出する。こうして、算出した受信点数を、基準値管理テーブル１２０から読み出した基準値と比較する。
【０１４８】
（処理の流れ）
本実施形態に係る放送システム１が実行する処理について、図１３を参照して以下に説明する。図１３は、第２の実施形態に係る放送システム１が実行する処理の流れを説明するフローチャートである。なお、図１３に示すステップＳ４１からＳ４４、およびＳ４９については、図４に示す対応ステップと本質的に同様の処理なので、説明を省略する。
【０１４９】
ステップＳ１３１において、受信確認処理部７は、入力された受信確認キーの情報を、視聴管理サーバ４に送信する（ステップＳ１３１）。このとき受信確認処理部７は、入力された受信確認キーそのものを送信することもできるし、受信確認キーに含まれている、受信確認キーＩＤを送信することもできる。いずれにせよ、少なくとも、受信確認キーを特定できるのに十分な情報を、視聴管理サーバ４に送信すればよい。
【０１５０】
視聴管理サーバ４において、データ通信部１３が、受信確認処理部７によって送信された、受信確認キーの情報を受信する。データ通信部１３は、受信した情報を視聴判定部１４に出力する。視聴判定部１４は、入力された受信確認キーの情報から、受信確認キーの識別子すなわち受信確認キーＩＤを抽出する。これにより視聴判定部１４は、視聴判定データベース１５にアクセスし、基準値管理テーブル１２０から、抽出した受信確認キーＩＤに関連付けて格納されている個別点数を読み出す。たとえば、受信確認キーＩＤが「１」であれば、図１１に示すように、「１０」点を読み出す。
【０１５１】
視聴判定部１４は、読み出した個別点数を、算出済みの累積点数に加算する。これにより、放送データ受信機３が取得した受信点数を算出する（ステップＳ１３２）。
【０１５２】
視聴判定部１４は、算出した受信点数を、あらかじめ定められた基準値と比較する（ステップＳ１３３）。このとき、視聴判定データベース１５にアクセスし、基準値管理テーブル１２０から、入力された番組ＩＤに関連付けて格納されている基準値を読み出す。たとえば、入力された番組ＩＤが「Ａ」であれば、基準値として「５０」を読み出す。こうして視聴判定部１４は、基準値管理テーブル１２０から読み出した基準値と、算出した受信点数とを比較する。これにより、受信点数が基準値を超えているか否かを判定する（ステップＳ１３４）。
【０１５３】
ステップＳ１３４において、受信点数が基準値を超えていると判定したとき（Ｙｅｓ）、視聴判定部１４は、放送データ受信機３において、視聴者が番組を視聴したと判定する。これにより視聴判定部１４は、視聴結果データベース１６にアクセスし、視聴結果テーブル５０に視聴結果を保存する（ステップＳ４９）。保存の方法は実施形態１と同様なので、説明を省略する。
【０１５４】
一方、ステップＳ１３４において、受信点数が基準値を超えていないと判定したとき（Ｎｏ）、視聴判定部１４は、視聴者がまだ番組を視聴していないと判定する。このとき図１３に示す処理はステップＳ４２に戻る。
【０１５５】
以上の処理によって、視聴判定部１４は、視聴者が番組を視聴したか否かを、より正確に判定できる。
【０１５６】
（受信が必須の受信確認キー）
なお、視聴判定部１４は、放送データ１００に多重化されている受信確認キーのうち、あらかじめ定められた少なくとも１つの必須のキーを放送データ受信機３が受信し、かつ、放送データ受信機３が受信した複数の受信確認キーから算出できる受信点数が、あらかじめ定められた基準値を超えていると判定するときに、放送データ受信機３において視聴者が番組を視聴したと判定することもできる。
【０１５７】
このとき、放送システム１において、受信確認キーに、受信することが必須であるが否かが、あらかじめ決定されている。具体的には、視聴判定部１４は、図１４に示す点数管理テーブル１４０を用いる。図１４は、点数管理テーブル１４０を示す図である。
【０１５８】
点数管理テーブル１４０は、受信確認キーＩＤごとに、判定ビットの値があらかじめ格納している。この判定ビットは、対応する受信確認キーの受信が必須であるか否かを表すものである。判定ビットが「１」であれば、対応する受信確認キーの受信が必須であることを意味する。
【０１５９】
たとえば、受信確認キーＩＤが「１」であるとき、判定ビットは「０」である。したがって、視聴判定部１４は、放送データ受信部５が、ＩＤ「１」の受信確認キーを受信したとしても、いまだ、受信が必須の受信確認キーを受信していないと判定する。
【０１６０】
ここで、放送データ受信機３が、受信確認キーＩＤがそれぞれ１、２、３、および５である４つの受信確認キーを受信したとする。このとき、視聴判定部１４は、放送データ受信機３の受信点数として、１０＋２０＋１０＋４０＝７０を算出する。こうして算出した受信点数は、番組Ａの視聴基準値である「５０」を超えている。しかし、放送データ受信機３は、判定ビットが「１」であるＩＤ「４」の受信確認キーを受信していない。これにより視聴判定部１４は、放送データ受信機３において番組を視聴していなかったと判定する。
【０１６１】
ここで、判定ビットが「１」である受信確認キーは、番組における重要な場面に設定されていればよい。
【０１６２】
〔実施形態３〕
本発明に係る第３の実施形態について、図１５から図２２を参照して以下に説明する。なお、実施形態１または２において説明済みの部材については、重複した説明を省略する。
【０１６３】
まず、本実施形態に係る放送システム１について、図１５を参照して以下に説明する。図１５は、第３の実施形態に係る放送システム１の要部構成を示すブロック図である。この図の放送システム１では、放送データ受信機３は、図１に示す各部材に加え、さらに、質問データ抽出部１７を備えている。また、視聴管理サーバ４は、図１に示す各部材に加え、さらに、質問データベース１８を備えている。質問データ抽出部１７、および質問データベース１８については後述する。
【０１６４】
（放送データ１６０）
本実施形態では、放送データ送信機２は、一例として、図１６に示す放送データ１６０を、放送データ受信機３に送信する。以下に、まず、放送データ１６０について説明する。図１６は、１つの質問データ１６６があらかじめ多重化されている放送データ１６０を示す図である。
【０１６５】
この図に示すように、放送データ１６０において、番組データ１６２には、複数の受信確認キーと、１つの質問データ１６６とが多重化されている。放送データ送信機２は、この構成の放送データ１６０を、放送データ受信機３に送信する。
【０１６６】
放送データ受信機３において、質問データ抽出部１７は、放送データ１６０から質問データ１６６を抽出し、表示処理部９に出力する。表示処理部９は、入力された質問データ１６６が表す質問を、表示装置１１に表示させる。この質問は、放送データ受信機３が受信している番組に関するものである。表示装置１１に表示された質問を確認した視聴者は、入力装置１２を通じて、回答を入力する。放送データ受信機３は、入力された回答を視聴管理サーバ４に送信する。
【０１６７】
（質問管理テーブル１７０）
本実施形態では、視聴判定部１４が、視聴者の回答が正解であるか否かを、質問管理テーブル１７０に基づき判定する。質問管理テーブル１７０は、視聴管理サーバ４において、質問データベース１８に形成されている。
【０１６８】
図１７は、質問管理テーブル１７０の構成を示す図である。この図に示すように、質問管理テーブル１７０は、質問ＩＤと、質問データと、正答データとを、互いに関連付けて格納している。
【０１６９】
質問ＩＤは、質問を特定するための識別子である。この質問ＩＤは、放送データ１６０において、あらかじめ質問データ１６６に含まれている。質問データは、視聴者に提示する質問を表すデータである。正答データは、質問に対する回答の正解を表すデータである。図１７に示すように、質問管理テーブル１７０は、たとえば、質問ＩＤ「Ａ」と、質問データ「今流れている曲のタイトルは？」と、正答データ「曲Ｃ」とを関連付けて格納している。
【０１７０】
（質問の表示例）
放送データ受信機３は、質問データ１６６によって表される質問を、表示装置１１に表示させる。たとえば、図１８に示すように、「今流れている曲のタイトルは？」という質問を、表示装置１１の表示画面１８１に表示させる。この表示を格納した視聴者は、入力装置１２を用いて、回答欄１８２に、回答を入力する。回答の入力後、視聴者は、送信ボタン１８３を押下する。これにより放送データ受信機３は、入力された回答のデータを視聴管理サーバ４に送信する。
【０１７１】
（処理の流れ）
本実施形態の放送システム１における処理の流れについて、図１９を参照して以下に説明する。図１９は、第３の実施形態に係る放送システム１における処理の流れを説明するフローチャートである。この図において、ステップＳ４１からＳ４３については、本質的に図４の各ステップと同じであるため、説明を省略する。
【０１７２】
受信確認キー抽出部８は、放送データ１６０から、受信確認キー１６４を抽出する（ステップＳ４４）。これにより受信確認処理部７は、受信確認キー抽出部８が受信確認キーを抽出したことを、視聴管理サーバ４に通知する（ステップＳ１９１）。
【０１７３】
視聴管理サーバ４において、視聴判定部１４は、受信確認処理部７からの通知に基づき、放送データ受信機３が少なくとも１つの受信確認キーを受信したと判定する。これにより視聴判定部１４は、番組に関する質問を、視聴者に提供してもよいと判定する。なお、この時点では、まだ、視聴者が番組を視聴したとは判定しない。
【０１７４】
視聴判定部１４は、放送データ受信機３に、質問の提示を許可することを通知する（ステップＳ１９２）。放送データ受信機３において、この通知を受けた受信確認処理部７は、質問の提示許可を、質問データ抽出部１７に出力する。これにより質問データ抽出部１７は、放送データ１６６に質問データ１６６が多重化されていることを確認したとき、放送データ１６０から質問データ１６６を抽出する。質問データ抽出部１７は、抽出した質問データ１６６を表示処理部９に出力する。一方、質問データ１６６に含まれている質問ＩＤを、受信確認処理部７に出力する。
【０１７５】
表示処理部９は、入力された質問データ１６６によって表される質問を、表示装置１１に表示させる。この表示を確認した視聴者は、入力装置１２を通じて、回答を入力する。この回答入力を、入力処理部１０が受け付ける（ステップＳ１９４）。これにより入力処理部１０は、受け付けた回答を表す回答データを生成する。入力処理部１０は、生成した回答データを受信確認処理部７に出力する。受信確認処理部７は、入力された回答データを、質問ＩＤと共に、視聴管理サーバ４に送信する（ステップＳ１９５）。
【０１７６】
視聴管理サーバ４では、送信された回答データおよび質問ＩＤを、データ通信部１３が受信する。データ通信部１３は、受信した回答データおよび質問ＩＤを、視聴判定部１４に出力する。視聴判定部１４は、質問データベース１８にアクセスし、質問管理テーブル１７０から、入力された質問ＩＤに関連付けて格納されている正答データを、取得する。そして、質問管理テーブル１７０から取得した正答データと、入力された回答データとを比較する。これにより、視聴者が放送データ受信機３に入力した回答が、正しいか否かを判定する（ステップＳ１９６）。
【０１７７】
ステップＳ１９６において、回答を正しいと判定したとき（Ｙｅｓ）、視聴判定部１４は、視聴者が番組を視聴したと判定する。これにより視聴判定部１４は、視聴結果データベース１６にアクセスし、視聴者の視聴結果を、視聴結果テーブル５０に格納する。たとえば、受信機ＩＤが「１」である放送データ受信機３において、視聴者が番組Ａを視聴したと判定したとき、視聴結果テーブル５０内の、受信機ＩＤが「１」かつ番組ＩＤが「Ａ」であるカラムに、「視聴済み」のデータを格納する。
【０１７８】
以上の処理によって、視聴判定部１４は、放送データ受信機３において、表示装置１１が表示している番組についての質問に、視聴者が、正しく答えたときに、視聴者が番組を視聴したと判定する。したがって、視聴者が番組を視聴したかどうかを、より正確に判定できる。
【０１７９】
なお、質問データ１６６は、必ずしも、番組データ１６２に多重化されていなくてもよい。この場合、放送データ受信機３は、別途、インターネットなどの通信回線を通じて、番組についての質問を表す質問データをあらかじめ取得し、所定のデータベースに格納しておく。
【０１８０】
また、放送データ送信機２は、放送データ受信機３に、あらかじめ質問提示指示キーが多重化されている放送データ１６０を送信する。この質問提示指示キーは、質問の提示を指示するキーである。質問提示指示キーを放送データ受信部５が受信したあと、表示処理部９は、上記データベースから質問データを取得し、当該質問データが表す質問を、ディスプレイ１１に表示させる。
【０１８１】
すなわち表示処理部９は、質問提示指示キーの受信タイミングに応じて、質問を視聴者に提示することができる。これにより、放送受信装置は、あらかじめ質問データが番組に多重化されていなくても、正確なタイミングで確実に質問を視聴者に提示することができる。
【０１８２】
（視聴ポイントの加算）
本実施形態では、視聴判定部１４は、視聴者が番組を視聴したと判定したとき、視聴者に（より正確には放送データ受信機３に）、インセンティブを与えることができる。具体的には、視聴判定部１４は、図２０に示す加算ポイント管理テーブル２００、および、図２１に示す累積ポイント管理テーブル２１０を用いて、視聴者に与えるインセンティブを管理する。
【０１８３】
なお、視聴管理サーバ４において、加算ポイント管理テーブル２００は、視聴判定データベース１５にあらかじめ形成されている。一方、累積ポイント管理テーブル２１０は、視聴結果データベース１６にあらかじめ作成されている。
【０１８４】
（加算ポイント管理テーブル２００）
加算ポイント管理テーブル２００の一例について、図２０を参照して以下に説明する。図２０は、加算ポイント管理テーブル２００の一例を表す図である。この図に示すように、加算ポイント管理テーブル２００は、番組ＩＤと、加算ポイントとを、互いに関連付けて格納している。
【０１８５】
視聴者が番組を視聴したと判定したとき、視聴判定部１４は、視聴判定データベース１５にアクセスする。これにより視聴判定部１４は、加算ポイント管理テーブル２００から、入力された番組ＩＤに対応する加算ポイントを取得する。
【０１８６】
図２１は、累積ポイント管理テーブル２１０の構成を示す図である。この図に示すように、受信機ＩＤと、累積ポイントとを関連付けて格納している。視聴判定部１４は、視聴結果データベース１６にアクセスする。これにより、累積ポイント管理テーブル２１０から、入力された受信機ＩＤに対応する累積ポイントを読み出す。また、累積ポイント管理テーブル２１０から読み出した累積ポイントに、加算ポイント管理テーブル２００から読み出した加算ポイントを加算する。これにより、放送データ受信機３の新たな累積ポイントを算出する。
【０１８７】
こうして視聴判定部１４は、算出した新たな累積ポイントを、受信機ＩＤを指定した上で、再び、累積ポイント管理テーブル２１０に格納する。すなわち、以上の処理によって、受信機ＩＤごとに、累積ポイントを更新する。
【０１８８】
（まとめ）
以上のように放送データ受信機３は、次の条件１および２が両方とも成立したとき、視聴者に視聴ポイントを与える。
【０１８９】
・条件１：受信確認キー抽出部８が放送データ２２０から受信確認キーを抽出する
・条件２：視聴者の回答が正解である
ここで視聴者が、放送データ受信機３の電源を入れ、表示装置１１を付けっぱなしに、番組をただ単に表示させたとする。すなわち視聴者は、番組を実際には視聴していないにも関わらず、不正に視聴ポイントを得ようとしている。ところが、このとき上記の条件１は成立するものの、条件２は成立しない。なぜなら、視聴者が質問に回答しないからである。
【０１９０】
したがって視聴判定部１４は、視聴者が表示装置１１を付けっぱなしにして、番組を単に表示させただけの場合に、本来なら与える必要のない視聴ポイントを与えなくて済む。すなわち、視聴者が不正に視聴ポイントを得ることを確実に防止できる。
【０１９１】
また、放送データ受信機３は、条件１が満たされたとき初めて、視聴者に質問を提示してもよい。すなわち、条件１が満たされていない状況では、質問を提示しなくてもよい。この場合、視聴者は番組の視聴に集中できる。言い換えれば、視聴者に無用な混乱を与えなくて済む。さらに、放送データ受信機３は、視聴者が番組を視聴しないで質問だけに答えるような行為を、排除できる。
【０１９２】
また、放送データ受信機３において、条件１が満たされていないとき、すなわち、番組を受信しているけれども、受信確認キーを未だ受信できていないとき、表示処理部９（告知手段）は、視聴者に提供するインセンティブについての情報を、視聴者に告知してもよい。具体的には、表示処理部９は、ディスプレイ１１に、一定時間の番組視聴を続ければ質問が表示されることや、質問に正解すれば一定数の視聴ポイントが得られることなどを、メッセージとして表示させる。これにより視聴者は、インセンティブを獲得しようとして、番組の視聴を続ける。したがって放送データ受信機３は、番組の視聴率を向上させることができる。
【０１９３】
また、表示処理部９は、視聴判定部１４によって、視聴者が番組を視聴したと判定されたとき、番組に関する質問を番組の視聴者に提示してもよい。この場合、質問に対して視聴者が正しく回答したとき、視聴判定部１４が、視聴者にインセンティブを提供する。たとえば視聴判定部１４は、有償の番組を無償で視聴できる権利を視聴者に提供する。あるいは、視聴した番組の数に応じて、番組視聴代金を値引きする。
【０１９４】
これにより放送受信装置３は、視聴者による番組視聴の意欲を高めることができる。その結果として、番組の視聴率を向上できる。また、視聴者が番組を見たと判定できないときには、視聴者に質問を提示しない。したがって、不正にインセンティブを得ようとする視聴者の行為を防止できる。
【０１９５】
また、表示処理部９は、視聴判定部１４によって、視聴者が番組を未だ視聴していないと判定されたとき、インセンティブについての情報を視聴者に告知してもよい。たとえば、番組の一定時間視聴すれば、問題を出題すること、および、この問題に正しく回答すれば、一定のインセンティブを与えることなどを、視聴者に告知する。これにより視聴者は、インセンティブを獲得するために、番組の視聴を続けようとする。また、質問が提示されたとき、正確に答えようと努める。したがって放送受信装置３は、番組の視聴率をより向上させることができる。
【０１９６】
（ポイントの加算方法）
視聴者が番組を視聴したことによって取得できるポイントは、上記の例に限定されない。たとえば視聴判定部１４は、新番組を視聴者が視聴したときに累積ポイントに加算する視聴ポイントを、既存の番組を視聴者が視聴したときに累積ポイントに加算する視聴ポイントよりも、多くしてもよい。取得できる視聴ポイントがより多いほど、視聴者が番組を視聴する可能性は高まる。したがって視聴管理サーバ４は、新番組の視聴率をより高くすることができる。
【０１９７】
（付加サービスの提供）
放送データ受信機３は、受信機ＩＤごとに管理している累積ポイントを用いて、任意の付加サービスを、視聴者に提供することもできる。この付加サービスは、放送局が発生する番組の視聴率を高めるためのものである。
【０１９８】
たとえば視聴管理サーバ４は、放送データ送信機２に次の指示を出すことができる。すなわち、累積ポイントがある特定のポイントを超えた放送データ受信機３に、本来であれば有償の番組を無償で送信するする指示を出す。有償の番組を無料で視聴できるのなら、視聴者は、当該番組をより積極的に視聴する。これにより視聴管理サーバ４は、放送データ送信機２を用いる放送局が放送する番組の視聴率を、より高めることができる。
【０１９９】
また、視聴率が高くなれば、それだけ、放送局が番組と同時に放送する広告の価値が、より高まる。なぜなら、より多くの人が番組を視聴した結果、より多くの人が広告も視聴するからである。これにより広告主は、広告の放送により得られる広告効果を、より高めることができる。また、放送局は、広告主からより高い広告料を得ることができる。
【０２００】
また、視聴判定部１４は、定期的に続けて放送される一連の番組を視聴者が全て視聴したと判定できるときに、特定のサービス視聴ポイントを提供してもよい。このとき視聴者が、一連の番組を全て視聴しようとする意欲が高まる。したがって、各番組の視聴率をそれぞれ高めることができる。
【０２０１】
（自社ウェブサイトへの誘導）
また、放送データ送信機２を用いる放送局が、自社が放送する番組に関連するウェブサイトを運営している場合を想定する。この状況において、視聴管理サーバ４は、累積ポイントに残高に応じて、放送事業者のウェブサイトにおける特定のサービスを受けられるようにしてもよい。たとえば放送局は、自社ウェブサイトにおいて、パスワードを入力しないとアクセスできない特定のウェブページを用意する。視聴管理サーバ４は、累積ポイントが基準を超えた放送データ受信機３に、そのパスワードを通知する。これにより、視聴者は、取得したパスワードを用いて、放送局が用意している、特定のウェブページにアクセスできようになる。
【０２０２】
以上の構成によれば、放送局の提供する特別のウェブページにアクセスしようとして、視聴者は、番組をより熱心に視聴する。したがって、放送システム１は、番組の視聴率をより高めることができる。
【０２０３】
このように、本実施形態に係る放送システム１は、視聴者、放送局、および広告主のいずれにも、高い付加価値を提供できる。
【０２０４】
（視聴ポイントのその他利用）
また、放送局は、上記の視聴ポイントを、放送局が放送するショッピングチャンネルにおいて、視聴者が商品を購入できる権利としても利用できる。さらに、ドラマ番組の中で、出演者が着用している衣服を購入できる権利としても利用できる。さらに、有料番組を値引きするため権利としても利用できる。すなわち放送局は、視聴管理サーバ４において受信機ＩＤごとに蓄積されている視聴ポイントを、番組の視聴率を高めるための、あらゆる方法に活用できる。
【０２０５】
（複数の質問）
放送データに多重化されている質問データ数は、１つに限定されない。複数であってもよい。すなわち放送データ送信機２は、複数の質問データが多重化されている放送データを、放送データ受信機３に送信することもできる。この例について、図２２を参照して以下に説明する。
【０２０６】
図２２は、複数の質問データがあらかじめ多重化されている放送データ２２０を示す図である。この図に示すように、放送データ２２０において、番組データ２２２には、受信確認キー２２４および２４５があらかじめ多重化されている。さらに、３つの質問データすなわち質問Ｘデータ２２６、質問Ｙデータ２２７、および質問Ｚデータ２２８も、番組データ２２２に多重化されている。
【０２０７】
質問Ｘデータ２２６は、質問Ｘを表す。質問Ｙデータ２２７は、質問Ｙを表す。質問Ｚデータ２２８は、質問Ｚを表す。質問Ｘ、Ｙ、およびＺは、いずれも、番組データ２２２によって表される番組に関連する。かつ、互いに異なる質問でもある。
【０２０８】
放送データ受信機３が放送データ２２０を受信したとき、質問データ抽出部１７は、番組データ２２２に多重化されている質問Ｘデータ２２６、質問Ｙデータ２２７、および質問Ｚデータ２２８を、それぞれ抽出する。これにより表示処理部９は、たとえば、番組データ２２２によって表される番組を表示装置１１に表示させるとともに、質問Ｘデータ２２６によって表された質問Ｘを、同時に表示させる。したがって、番組の進行に伴い、表示装置１１は、順次、質問Ｘ、質問Ｙ，および質問Ｚを表示する。視聴者は、それぞれの質問に対して、回答する。
【０２０９】
このとき、視聴判定部１４は、以下に示す条件１が成立し、かつ、以下に示す条件２から４のうち、少なくとも１つが成立したときに、視聴者が番組を視聴したと判定することができる。
【０２１０】
・条件１：受信確認キー抽出部８が、放送データ２２０から受信確認キーを抽出する
・条件２：質問Ｘに対する視聴者の回答が正解である
・条件３：質問Ｙに対する視聴者の回答が正解である
・条件４：質問Ｚに対する視聴者の回答が正解である
または、視聴判定部１４は、上記の条件１が成立し、かつ、上記の条件２から４の全てが成立したときに、視聴者が番組を視聴したと判定することもできる。ここで、複数の回答の全てが正しいことは、視聴者が漠然と番組を視聴していたのではなく、高い関心を持って見ていた可能性が高いことを意味する。したがって視聴判定部１４は、視聴者が番組をきちんと視聴していたと判定できる。
【０２１１】
あるいは、視聴判定部１４は、上記の条件１が成立し、かつ、上記の条件２から４のうち、あらかじめ定められている特定の条件が成立したときに、視聴者が番組を視聴したと判定することもできる。すなわち、特定の質問に対する回答が正解でないなら、視聴者が番組を視聴していなかったと判定することになる。このとき特定の質問が、番組の核心を問うようなものであれば、その質問を視聴者が正しく回答できたことは、それだけきちんと番組を視聴していたことを意味する。したがって視聴判定部１４は、視聴者が番組を確かに視聴していたと判定できる。
【０２１２】
（各種の変形例）
なお、本発明は上述した実施形態に限定されるものではなく、請求項に示した範囲で種々の変更が可能  なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【０２１３】
たとえば、受信確認キーは、放送データにおいて、番組データに一定間隔で多重化されていればよい。たとえば、１分ごと、５分ごと、あるいは１０分ごとであればよい。この構成は、たとえば番組が、天気予報やニュースなど、次に何が放送されるのか、事前に予測できない性質のものであるときに特に有効である。
【０２１４】
なお、受信確認キーは、放送データにおいて、番組データに一定ではなく、適宜、任意の間隔をおいて多重化されていてもよい。たとえば受信確認キーは、番組データ内における、番組内の重要な場面を表す箇所に多重化されていてもよい。あるいは、番組データ内における、番組内のコマーシャルを表す箇所に多重化されていてもよい。
【０２１５】
放送データ受信機３は、テレビジョン装置など、番組を受信して再生できる装置であれば、どのような装置でもかまわない。好ましくは、テレビ機能を有する携帯電話装置であることが好ましい。
【０２１６】
入力装置１２は、キーボードおよびマウスなど、視聴者が何らかの情報を放送データ受信機３に入力できるものであればよい。また、入力装置１２と放送データ受信機３とは、分離されていてもよい。たとえば、入力装置１２は放送データ受信機３を操作するためのリモコンであってもよい。このとき視聴者が入力された情報を、入力装置１２は、ＩＲＳｉｍｐｌｅプロトコルなどの任意の無線通信プロトコルに従い、無線によって放送データ受信機３に送信することもできる。
【０２１７】
受信確認処理部７は、放送データ受信部５が受信している番組が、どのチャンネルのものであるのかを、任意の方法によって特定できればよい。たとえば、放送データにあらかじめ埋め込まれている、チャンネルを特定する識別子によって、番組のチャンネルを特定することができる。
【０２１８】
（視聴判定プログラムおよび記録媒体）
最後に、放送データ受信機３に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０２１９】
すなわち、放送データ受信機３は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０２２０】
この構成により、本発明の目的は、所定の記録媒体によっても、達成できる。この記録媒体は、上述した機能を実現するソフトウェアである放送データ受信機３の制御プログラムのプログラムコード（実行形式プログラム、中間コードプログラム、ソースプログラム）をコンピュータで読み取り可能に記録していればよい。この記録媒体は、放送データ受信機３はに供給される。これにより、コンピュータとしての放送データ受信機３（またはＣＰＵやＭＰＵ）が、供給された記録媒体に記録されているプログラムコードを読み出し、実行すればよい。
【０２２１】
プログラムコードを放送データ受信機３に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２２２】
また、放送データ受信機３を、通信ネットワークと接続可能に構成しても、本発明の目的を達成できる。この場合、上記のプログラムコードを、通信ネットワークを介して放送データ受信機３に供給する。この通信ネットワークは、放送データ受信機３にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０２２３】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２２４】
なお、視聴管理サーバ４も、放送データ受信機３と同様に、プログラムおよび記録媒体として実現できる。すなわち、放送データ受信機３を対象とした上記の説明は、視聴管理サーバ４にも同様に当てはまることである。
【産業上の利用可能性】
【０２２５】
本発明は、視聴者が番組を視聴したか否かを正確に判定できる放送システムとして、幅広く利用できる。
【図面の簡単な説明】
【０２２６】
【図１】第１の実施形態に係る放送システム１の要部構成を示す図である。
【図２】放送データの構造の一例を示す図である。
【図３】基準値管理テーブルの構成を示す図である。
【図４】第１の実施形態に係る放送システムが実行する処理の流れを説明するフローチャートである。
【図５】視聴結果テーブルの構成を示す図である。
【図６】ＥＰＧデータが多重化されている放送データの例を示す図である。
【図７】連番の受信確認キーがそれぞれ多重化されている、第１の放送データおよび第２の放送データの構成を表す図である
【図８】番組管理テーブルの構成を示す図である。
【図９】視聴判定部が放送データ受信機に備えられている構成の放送システムを表すブロック図である。
【図１０】受信確認キーを特定するための識別子を含んでいる受信確認キーが多重化されている放送データを構成を示す図である。
【図１１】点数管理テーブルを示す図である。
【図１２】基準値管理テーブルの構成を示す図である。
【図１３】第２の実施形態に係る放送システムが実行する処理の流れを説明するフローチャートである。
【図１４】点数管理テーブルを示す図である。
【図１５】第３の実施形態に係る放送システムの要部構成を示すブロック図である。
【図１６】１つの質問データがあらかじめ多重化されている放送データを示す図である。
【図１７】質問管理テーブルの構成を示す図である。
【図１８】番組に関する質問を表示している表示装置を示す図である。
【図１９】第３の実施形態に係る放送システムにおける処理の流れを説明するフローチャートである。
【図２０】加算ポイント管理テーブルの一例を表す図である。
【図２１】累積ポイント管理テーブルの構成を示す図である。
【図２２】複数の質問データがあらかじめ多重化されている放送データを示す図である。
【符号の説明】
【０２２７】
１  放送システム
２  放送データ送信機（放送送信装置）
３  放送データ受信機（放送受信装置）
４  視聴管理サーバ
５  放送データ受信部（受信手段）
６  メモリ
７  受信確認処理部（受信確認キー数算出手段、特定キー受信判定手段）
８  受信確認キー抽出部
９  表示処理部（質問提示手段、告知手段）
１０  入力処理部
１１  表示装置
１２  入力装置
１３  データ通信部
１４  視聴判定部（視聴判定手段、受信点数算出手段、受信確認キー数算出手段、特定キー受信判定手段、インセンティブ提供手段）
１５  視聴判定データベース
１６  視聴結果データベース
１７  質問データ抽出部
１８  質問データベース
【図１】
0004739050.tif 000002
【図２】
0004739050.tif 000003
【図３】
0004739050.tif 000004
【図４】
0004739050.tif 000005
【図５】
0004739050.tif 000006
【図６】
0004739050.tif 000007
【図７】
0004739050.tif 000008
【図８】
0004739050.tif 000009
【図９】
0004739050.tif 000010
【図１０】
0004739050.tif 000011
【図１１】
0004739050.tif 000012
【図１２】
0004739050.tif 000013
【図１３】
0004739050.tif 000014
【図１４】
0004739050.tif 000015
【図１５】
0004739050.tif 000016
【図１６】
0004739050.tif 000017
【図１７】
0004739050.tif 000018
【図１８】
0004739050.tif 000019
【図１９】
0004739050.tif 000020
【図２０】
0004739050.tif 000021
【図２１】
0004739050.tif 000022
【図２２】
0004739050.tif 000023